(57)【要約】【課題】  簡単にどこでも無線通信で様々な写真サービスを行うにあたってカメラの負担を軽減した通信システム、カメラの通信方法、カメラ、および画像サービスシステムを提供する。【解決手段】  ホットスポット１０１〜１０３と通信してホットスポット１０１〜１０３と接続するための通信プロトコルを取得する携帯電話３０と、携帯電話３０と通信して携帯電話３０が取得した通信プロトコルを取得するための赤外通信部５と、赤外通信部５を介して取得した通信プロトコルに従ってホットスポット１０１〜１０３と通信するワイヤレスＬＡＮ部７とを有してなるカメラ１０を備える。  【選択図】  図１
2009296289.tif 000002
【特許請求の範囲】
【請求項１】
外部端末機器と接続するための通信プロトコルを取得する携帯電話と、
上記携帯電話と通信して上記携帯電話が取得した上記通信プロトコルを取得するための第１通信部と、
上記第１通信部を介して取得した上記通信プロトコルに従って上記外部端末機と通信する第２通信部と、
上記外部端末機に接続された機器情報に応じて、上記カメラの操作方法を変更するために表示が変更される表示部と、
を有してなるカメラと、
を備えたことを特徴とする通信システム。
【請求項２】
上記通信プロトコルはホットスポットと接続するためのものであり、上記携帯電話は自己の位置情報を検出する機能と、この検出した位置情報に基づいて上記ホットスポットを特定する機能と、この特定したホットスポットと接続するための上記通信プロトコルを取得する機能を有してなることを特徴とする請求項１に記載の通信システム。
【請求項３】
携帯電話と通信する第１通信部と、上記携帯電話とは異なる外部端末機器と通信する第２通信部とを有するカメラの通信接続方法であって、
上記携帯電話と通信して上記外部端末機器と接続するための通信プロトコルを取得するステップと、
上記取得した上記通信プロトコルに従って上記外部端末機器と通信するステップと、
上記外部端末機器に接続された機器情報に応じて、上記カメラの操作方法を変更するための表示を行うステップと、
を備えたことを特徴とするカメラの通信接続方法。
【請求項４】
上記外部端末機器はホットスポットであり、上記携帯電話は上記ホットスポットと接続するための上記通信プロトコルを取得し、上記カメラは上記第１通信部を介して上記携帯電話から上記通信プロトコルを取得し、この取得した上記通信プロトコルに従って上記第２通信部を介して上記ホットスポットと接続することを特徴とする請求項３に記載のカメラの通信接続方法。
【請求項５】
上記携帯電話は自己の位置情報を検出する機能と、この検出した位置情報に基づいて上記ホットスポットを特定する機能と、この特定したホットスポットと接続するための上記通信プロトコルを取得する機能を有してなることを特徴とする請求項４に記載のカメラの通信接続方法。
【請求項６】
携帯電話と通信する第１通信部と、上記携帯電話と異なる外部端末機器と通信する第２通信部とを有するカメラであって、
上記携帯電話と通信して上記外部端末機器と接続するための通信プロトコルを取得する上記第１通信部と、
上記第１通信部で取得した上記通信プロトコルに従って上記外部端末機器と通信する上記第２通信部と、
上記外部端末機器の聞き情報に応じて、上記カメラの操作方法を変更するための表示を行う表示部と、
を備えたことを特徴とするカメラ。
【請求項７】
上記外部端末機器はホットスポットであり、上記携帯電話は上記ホットスポットと接続するための上記通信プロトコルを取得し、上記カメラは上記第１通信部を介して上記携帯電話から上記通信プロトコルを取得し、この取得した上記通信プロトコルに従って上記第２通信部を介して上記ホットスポットを接続することを特徴とする請求項６に記載のカメラ。
【請求項８】
上記携帯電話は自己の位置情報を検出する機能と、この検出した位置情報に基づいて上記ホットスポットを特定する機能と、この特定した上記ホットスポットと接続するための上記通信プロトコルを取得する機能を有してなることを特徴とする請求項７に記載のカメラ。
【請求項９】
移動通信装置と通信して外部端末機器と接続するための通信プロトコルを取得する第１通信部と、
上記第１通信部で取得した上記通信プロトコルに従って上記外部端末機器と通信する第２通信部と、
上記外部端末機器の機器情報に応じて、上記情報機器の操作方法を変更するための表示を行う表示部と、
を備えたことを特徴とする情報装置。
【請求項１０】
外部端末機器と通信するための第３の通信部と、
情報機器が上記外部端末機器と接続するための通信プロトコルと、上記外部端末機器の所在地で受けられるサービスを記憶する記憶部と、
上記記憶部に記憶された上記通信プロトコルおよび上記サービスを上記情報機器に送信するための第４の通信部と、
を備えたことを特徴とする移動通信装置。
【請求項１１】
上記外部端末機器を通じてサーバーに接続可能であり、上記サーバーに蓄積されている外部端末機器の位置情報を取得することを特徴とする請求項１０に記載の移動通信装置。
【請求項１２】
上記取得した位置情報を表示する表示部を有することを特徴とする請求項１１に記載の移動通信装置。
【請求項１３】
上記外部端末機器の位置情報と共に、地図情報を取得することを特徴とする請求項１１に記載の移動通信装置。
【請求項１４】
上記取得した地図情報を表示する表示部を有することを特徴とする請求項１３に記載の移動通信装置。
【請求項１５】
現在位置を検出するための位置検出部を有し、上記サーバーに上記位置検出部によって検出された位置情報を送信することを特徴とする請求項１１に記載の移動通信装置。
【請求項１６】
第１の機器との通信を行う第１の通信部と、
上記第１の通信部で取得した情報に従って、上記第１の機器とは異なる第２の機器との通信を行う第２の通信部と、
上記第２の通信部によって、上記第２の機器に撮影画像を送信して、上記第２の機器の行う画像サービスを指定するために、上記第２の機器の仕様に従って、表示部の表示を切り替える表示制御部と、
を備えたことを特徴とするカメラ。
【請求項１７】
携帯電話回線によって、外部機器の写真サービス情報を取得する携帯端末と、
上記外部機器の写真サービス情報を、上記携帯電話回線とは異なる通信によって、
取得するカメラと、
からなる画像サービスシステムにおいて、
上記外部機器と上記カメラとが、上記写真サービス情報に含まれる信号に基づいて、通信を確立し、上記画像サービスに従って、上記カメラの表示部における表示を切り替えることを特徴とする画像サービスシステム。
【発明の詳細な説明】
【技術分野】
【０００１】
本発明は、通信システム、カメラの通信接続方法、カメラ、および画像サービスシステムに関し、詳しくは、ホットスポットやアクセスポイント等において、カメラをサーバー等の外部機器に通信接続させることができるようにした通信システム、カメラの通信接続方法、カメラ、および画像サービスシステムに関する。
【背景技術】
【０００２】
近年、デジタルカメラが普及し、撮影した画像をインターネットなどのネットワークを介してサーバーに保管し、公開し、また受け渡しすることが行われており、また、インターネットを介してプリントサービスの注文等がなされるようになってきている。
【０００３】
インターネットなどのネットワークへの接続方法としては、カメラで撮影した画像をパーソナルコンピュータ（ＰＣ）に一旦格納してから、ＰＣからインターネットに接続する方法以外にも、カメラから直接、無線ＬＡＮを利用してインターネットに接続する方法がある。例えば、特許文献１には、ユーザーがホットスポットの位置を知らなくても無線ＬＡＮを利用することができるようにした携帯端末装置が開示されている。すなわち、この携帯端末装置は、無線ＬＡＮの利用者が利用希望場所又はエリアを入力すると（その場所の電話番号、市外局番、住所、または郵便番号）、この情報に基づいて、ホットスポットを検索し、検索されたホットスポットの場所を示す情報を表示する。
【特許文献１】特開２００２−３４２６７３号公報
【発明の開示】
【発明が解決しようとする課題】
【０００４】
このように、ユーザーの位置の情報から、その近くにあるホットスポットを検索する技術は知られている。しかし、この技術は、ホットスポットの位置が分かるだけで、そのホットスポットに接続するための通信プロトコルが分からないと、そこからカメラをインターネット等を通じてアクセスすることができない。また、アクセス手続をカメラの操作部を工夫して行うとしても、カメラの構成が複雑化し、また大型化してしまうという問題がある。
【０００５】
また、こうしたアクセスポイントは、単に入り口であり、カメラ等の情報機器のユーザーとしては、ホットスポット等のアクセスポイントから入った画像をどう処理するかといった等のサービスが重要である。例えば、コンビニエンスストアにあるアクセスポイントであれば、プリンタなどが設置されておりプリントサービスが期待できる。また、写真店にあるアクセスポイントであれば、さらにカメラ用のサービスを行う機器があることを期待することが出来る。
【０００６】
また、写真店などでは、ユーザーを店舗に導くために、キャンペーン情報などをユーザーの携帯電話に送信するようなサービスがあり、そのキャンペーンとの連動なども考慮することによって、より効果的な写真の楽しみ方が提案可能である。このように、各アクセスポイントに応じて、同じ無線通信でも、様々なサービスがありうるが、前述の特許文献には、単にホットスポットにアクセスするのみであって、アクセス後に、そこでのサービスを有効に活用する点については、何ら開示されていない
【０００７】
本発明は、このような事情を鑑みてなされたものであり、簡単にどこでも無線通信で様々な写真サービスを行うにあたってカメラの負担を軽減した通信システム、カメラの通信接続方法、カメラ、および画像サービスシステムを提供することを目的とする。
【課題を解決するための手段】
【０００８】
上記目的を達成するため第１の発明に係わる通信システムは、外部端末機器と接続するための通信プロトコルを取得する携帯電話と、上記携帯電話と通信して上記携帯電話が取得した上記通信プロトコルを取得するための第１通信部と、上記第１通信部を介して取得した上記通信プロトコルに従って上記外部端末機と通信する第２通信部と、上記外部端末機に接続された機器情報に応じて、上記カメラの操作方法を変更するために表示が変更される表示部と、を有してなるカメラと、を備える。
【０００９】
第２の発明に係わる通信システムは、上記第１の発明において、上記通信プロトコルはホットスポットと接続するためのものであり、上記携帯電話は自己の位置情報を検出する機能と、この検出した位置情報に基づいて上記ホットスポットを特定する機能と、この特定したホットスポットと接続するための上記通信プロトコルを取得する機能を有する。
【００１０】
第３の発明に係わるカメラの通信接続方法は、携帯電話と通信する第１通信部と、上記携帯電話とは異なる外部端末機器と通信する第２通信部とを有するカメラの通信接続方法であって、上記携帯電話と通信して上記外部端末機器と接続するための通信プロトコルを取得するステップと、上記取得した上記通信プロトコルに従って上記外部端末機器と通信するステップと、上記外部端末機器に接続された機器情報に応じて、上記カメラの操作方法を変更するための表示を行うステップと、を備える。
【００１１】
第４の発明に係わるカメラの通信接続方法は、上記第３の発明において、上記外部端末機器はホットスポットであり、上記携帯電話は上記ホットスポットと接続するための上記通信プロトコルを取得し、上記カメラは上記第１通信部を介して上記携帯電話から上記通信プロトコルを取得し、この取得した上記通信プロトコルに従って上記第２通信部を介して上記ホットスポットと接続する。
第５の発明に係わるカメラの通信接続方法は、上記第４の発明において、上記携帯電話は自己の位置情報を検出する機能と、この検出した位置情報に基づいて上記ホットスポットを特定する機能と、この特定したホットスポットと接続するための上記通信プロトコルを取得する機能を有する。
【００１２】
第６の発明に係わるカメラは、携帯電話と通信する第１通信部と、上記携帯電話と異なる外部端末機器と通信する第２通信部とを有するカメラであって、上記携帯電話と通信して上記外部端末機器と接続するための通信プロトコルを取得する上記第１通信部と、上記第１通信部で取得した上記通信プロトコルに従って上記外部端末機器と通信する上記第２通信部と、上記外部端末機器の聞き情報に応じて、上記カメラの操作方法を変更するための表示を行う表示部と、を備える。
【００１３】
第７の発明に係わるカメラは、上記第６の発明において、上記外部端末機器はホットスポットであり、上記携帯電話は上記ホットスポットと接続するための上記通信プロトコルを取得し、上記カメラは上記第１通信部を介して上記携帯電話から上記通信プロトコルを取得し、この取得した上記通信プロトコルに従って上記第２通信部を介して上記ホットスポットを接続する。
【００１４】
第８の発明に係わるカメラは、上記第６の発明において、上記携帯電話は自己の位置情報を検出する機能と、この検出した位置情報に基づいて上記ホットスポットを特定する機能と、この特定した上記ホットスポットと接続するための上記通信プロトコルを取得する機能を有する。
【００１５】
第９の発明に係わる情報装置は、移動通信装置と通信して外部端末機器と接続するための通信プロトコルを取得する第１通信部と、上記第１通信部で取得した上記通信プロトコルに従って上記外部端末機器と通信する第２通信部と、上記外部端末機器の機器情報に応じて、上記情報機器の操作方法を変更するための表示を行う表示部と、を備える。
【００１６】
第１０の発明に係わる移動通信装置は、外部端末機器と通信するための第３の通信部と、情報機器が上記外部端末機器と接続するための通信プロトコルと、上記外部端末機器の所在地で受けられるサービスを記憶する記憶部と、上記記憶部に記憶された上記通信プロトコルおよび上記サービスを上記情報機器に送信するための第４の通信部と、を備える。
【００１７】
第１１の発明に係わる移動通信装置は、上記第１０の発明において、上記外部端末機器を通じてサーバーに接続可能であり、上記サーバーに蓄積されている外部端末機器の位置情報を取得する。
第１２の発明に係わる移動通信装置は、上記第１１の発明において、上記取得した位置情報を表示する表示部を有する。
第１３の発明に係わる移動通信装置は、上記第１１の発明において、上記外部端末機器の位置情報と共に、地図情報を取得する。
第１４の発明に係わる移動通信装置は、上記第１３の発明において、上記取得した地図情報を表示する表示部を有する。
第１５の発明に係わる移動通信装置は、上記第１１の発明において、現在位置を検出するための位置検出部を有し、上記サーバーに上記位置検出部によって検出された位置情報を送信する。
【００１８】
第１６の発明に係わるカメラは、第１の機器との通信を行う第１の通信部と、上記第１の通信部で取得した情報に従って、上記第１の機器とは異なる第２の機器との通信を行う第２の通信部と、上記第２の通信部によって、上記第２の機器に撮影画像を送信して、上記第２の機器の行う画像サービスを指定するために、上記第２の機器の仕様に従って、表示部の表示を切り替える表示制御部と、を備える。
【００１９】
第１７の発明に係わる画像サービスシステムは、携帯電話回線によって外部機器の写真サービス情報を取得する携帯端末と、上記外部機器の写真サービス情報を上記携帯電話回線とは異なる通信によって取得するカメラと、からなる画像サービスシステムにおいて、上記外部機器と上記カメラとが、上記写真サービス情報に含まれる信号に基づいて、通信を確立し、上記画像サービスに従って、上記カメラの表示部における表示を切り替える。
【発明の効果】
【００２０】
本発明によれば、簡単にどこでも無線通信で様々な写真サービスを行うにあたってカメラの負担を軽減した通信システム、カメラの通信接続方法、カメラ、および画像サービスシステムを提供することができる。
【発明を実施するための最良の形態】
【００２１】
以下、図面に従って本発明を適用したカメラ１０、サーバー１１０、および携帯電話３０からなる通信システムを用いて好ましい一実施形態について説明する。
【００２２】
図１は本発明の一実施形態に係わるカメラ１０、サーバー１１０、および携帯電話３０からなるシステムの構成を示すブロック図である。カメラ１０は被写体を撮影し、画像を取得するデジタルカメラである。サーバー１１０は、画像を保管し、転送、画像処理、印刷など様々な画像サービスを提供する。
【００２３】
また、サーバー１１０はインターネット網や携帯電話網と接続可能であり、カメラ１０とはホットスポット１０１〜１０３を介して無線ＬＡＮにより接続可能である。なお、ホットスポットとは、無線ＬＡＮを利用したインターネット等の通信網に接続を行うことのできる場所を指し、公衆無線ＬＡＮ、アクセスポイント、あるいは無線ＬＡＮスポット、フリースポットと呼ばれる場合もある。
【００２４】
携帯電話３０は携帯電話の運営会社の通信網を経由してサーバー１１０にアクセス可能であり、サーバー１１０よりホットスポット１０１〜１０３に関して、ホットスポットの位置や通信プロトコル等の情報を取得する。また、カメラ１０とは赤外通信によって通信可能であり、取得した情報をカメラ１０に送信する。
【００２５】
カメラ１０は、制御部１、撮影部２、画像記録部３、画像選択部４、赤外通信部５、アクセス設定部６、ワイヤレスＬＡＮ部７を有している。撮影部２は、被写体像を結像するための光学系、被写体像を光電変換する撮像素子、撮像素子から出力される信号を処理する画像処理部等を含み、画像データを出力する。画像記録部３は、撮影部２から出力される静止画の画像データを記録する。
【００２６】
赤外通信部５は、前述したように携帯電話３０と赤外通信により情報の送受信を行う送受信部である。ワイヤレスＬＡＮ部７は、ホットスポットにおいて、サーバー１１０と通信を行うための無線通信による送受信部である。アクセス設定部６は、携帯電話３０より取得したホットスポットとの通信プロトコルに基づいて、サーバー１１０との通信を行うための設定部である。通信プロトコルとしては、送信元ＩＰアドレス、宛先ＩＰアドレス等である。その他、アクセス設定部６は、送信元のＩＤ（identification）やパスワードも設定する。
【００２７】
画像選択部４は、画像記録部３に記録されている画像の選択を行う。画像記録部３に記録された画像は、図示しない表示部に表示され、ユーザーは、この表示部で撮影画像を見ながら選択する。また、選択された画像は、ワイヤレスＬＡＮ部７を通じて、サーバー１１０に送信される。制御部１は、上述の撮影部２、画像記録部３、赤外通信部５に接続され、これらの各部から情報を取得すると共に、制御を行う。
【００２８】
また、これらの回路部に電源を供給するための電源用の電源充電部８を具備する。この電源は、カメラ１０等の携帯用機器にとっては非常に重要であって、電源供給が出来なくなってしまうと全ての機能が使えなくなってしまう。特に、本実施形態のように、無線を利用する機器では、無線通信の条件によっては、急速にエネルギーを消耗してしまうおそれがある。
【００２９】
携帯電話３０は携帯電話のネットワークやインターネットと連携したサービスを提供する。携帯電話３０は、赤外通信部３２、画像記録部３３、表示制御部３４、操作部３５、アクセス取得部３６、通信及び制御部３７、ＧＰＳ部３８を有する。
【００３０】
表示部３１は、携帯電話３０としての通常表示以外に、サーバー１１０から送信されてくるホットスポット１０１〜１０３に関する情報や、これらのホットスポット１０１〜１０３と接続するために必要なＩＤやパスワード等を表示する。赤外通信部３２は、カメラ１０等の赤外通信部５と通信を行い、サーバー１１０から取得したホットスポット１０１〜１０３との通信プロトコルや、ＩＤ・パスワード等をカメラ１０に送信する。なお、後述するホットスポット１０３等は、独自のサーバーを有し、携帯電話３０にキャンペーン情報等のメールを送信可能となっている。ＩＤ・パスワード等の送信の際に、キャンペーン情報を添付するようにしてもよい。
【００３１】
画像記録部３３は画像を記録するが、その他、サーバー１１０から送信されてくるホットスポット１０１〜１０３に関する通信プロトコルに関する情報や、地図等の画像や、ホットスポットで提供されるサービス等を記憶する。また、画像記録部３３は、ユーザーがホットスポットを使用するにあたって必要とするＩＤやパスワードを記憶する。表示制御部３４は、画像記録部３３に記録された画像や、ホットスポットに関連する情報を表示部３１に表示する際の表示制御を行う。
【００３２】
操作部３５は、通常の携帯電話３０としての操作部を兼用しており、後述するＧＰＳ部３８等の各種部材の操作を行う。通信及び制御部３７は、携帯電話３０の通信網を利用してサーバー１１０と通信を行い、サーバー１１０から送信されてくる通信プロトコルや地図等の画像データ、各種データを受信する。
【００３３】
アクセス取得部３６は、カメラ１０がホットスポット１０１〜１０３において、サーバー１１０にアクセスするために必要な通信プロトコル等を取得するための制御部である。ＧＰＳ部３８は、携帯電話３０の位置を検出するための位置測定である。位置を検出できるものであれば、ＧＰＳに限らず、例えば、携帯電話の電波の発信位置から割り出す等の方式を利用するようにしても良い。
【００３４】
サーバー１１０は、写真画像の保管、転送、画像処理、印刷など様々な画像サービスを提供する。このサーバー１１０は、携帯電話網やインターネット１００を通じてアクセス可能である。ホットスポット１０１〜１０３において、インターネット網と接続しており、カメラ１０は、ホットスポット１０１〜１０３において、インターネット網に接続することができる。
【００３５】
また、通信会社が運営するようなサーバー１１０とは別に、各ホットスポット１０１〜１０３が設置されている店舗などは、独自のネットワークにこのホットスポット１０３が加入し、様々なサービスを行うことがある。ホットスポット１０３は、例えば、カメラ店であり、プリンタ１０３ａや、カメラの電源充電部８にエネルギーを供給するための充電用電源機器１０３ｂが置かれている。また、ホットスポット１０２は、例えば、プリンタ１０２ａが配置されたコンビニである。
【００３６】
つまり、ホットスポット１０２、１０３で接続すれば、その場でプリントを受け取るようなサービスを期待できる。また、カメラ店であれば、プリント代のディスカウントセールのようなキャンペーンによって顧客を呼び寄せるサービスと連携することが可能である。
【００３７】
このように本実施形態のカメラ１０等からなる通信システムは構成されている。カメラ１０で撮影された画像は、画像記録部３に記録され、画像選択部４において選択された画像がワイヤレスＬＡＮ部７、ホットスポット１０１〜１０３を介してサーバー１１０に送信可能である。
【００３８】
カメラ１０単独で、このホットスポット１０１〜１０３がどこにあるかを検索し、ホットスポットとの通信を確立することは困難である。そこで、本実施形態においては、携帯電話３０がこのような機能を担う。すなわち、携帯電話３０内に位置検出機能としてＧＰＳ部３８を設け、また、携帯電話３０の携帯電話網を介して、サーバー１１０にアクセスし、携帯電話３０を操作した場所近傍におけるホットスポットに関する情報を取得する。
【００３９】
携帯電話３０の操作部３５によって、ＧＰＳ部３８の位置検出アプリケーションを起動させ、取得した位置情報をサーバー１１０に送信する。サーバー１１０内には、場所とホットスポットの関連付けＤＢが設けられており、携帯電話３０から送信されてきた位置情報に基づいて、携帯電話３０が、現在、存在する位置の近傍にあるホットスポットの情報を携帯電話３０に送信する。携帯電話３０は、サーバー１１０から取得した情報を画像記録部３３に仮記憶し、その結果を図２（ａ）に示すように、表示部３１に表示する。もちろん、個々のホットスポットが、独自に携帯電話と携帯電話回線網などで接続できるサーバーを持っていてもよい。
【００４０】
さらに、ホットスポット等のアクセスポイントで接続した際に、アクセスポイントで取得できるサービスを受信し、これを携帯電話３０等の情報機器に表示させ、サービスを選択することも可能である。
【００４１】
図２（ａ）において、表示部３１には、ユーザー（携帯電話３０の保持者）の現在位置近傍の地図が表示されている。この地図上で、×印は現在位置を示しており、また、Ａ〜Ｃは現在位置付近にあるホットスポットの位置を示している。ホットスポットＡ、Ｃにはプリンタマークが表示されており、プリンタの利用が可能であることを示している。また、ホットスポットＡには電源マークが表示されており、カメラの充電が出来るサービスがあることが示されている。つまり、プリントをしたいユーザーはホットスポットＡ、Ｃに行き、そこでカメラ１０を接続し、また、カメラの電源が消耗している場合は、ホットスポットＡに行けばよい。
【００４２】
ユーザーは携帯電話３０の操作部３５を操作し、ホットスポットＡ〜Ｃの中から接続したいホットスポットを選択すると、その接続先に接続するときのＩＤ、パスワード、ホットスポットで得られるサービス（例えば、プリンタや電源）が表示される（図２（ｂ）の例では、接続先はホットスポットＡ）。なお、このときのＩＤやパスワードは画像記録部３３に記録されているものを表示するが、始めて利用する場合には、携帯電話３０を通じて行い、この場合には、サーバー１１０よりＩＤやパスワードが送信されてくる。
【００４３】
接続先を選択して、携帯電話の通信網を介してサーバー１１０に接続すると、接続先（図２（ｂ）の例ではホットスポットＡ）に接続するための通信プロトコル情報が携帯電話３０にダウンロードされる。通信プロトコルがダウンロードされると、図２（ｂ）に示すように通信プロトコル取得ＯＫの表示がなされる。ここで、利用できるサービスを「プリンタ有」、「電源有」などと表示可能にしてもよい。
【００４４】
携帯電話３０が取得した通信プロトコル情報等を、通信及び制御部３７からカメラ１０に送信し、カメラ１０の赤外通信部５はこれを受信し、アクセス設定部６は無線ＬＡＮ部７にホットスポットＡと通信するためのアクセス設定を行う。画像選択部４における選択に基づいて画像記録部３から読み出された撮影画像が、無線ＬＡＮ部７からホットスポットＡを経由してサーバー１１０に送信される。これらの制御は、制御部１がユーザーの操作を検出しながら行う。
【００４５】
次に、本実施形態における携帯電話３０における携帯制御の動作を、図３に示すフローチャートを用いて説明する。この携帯制御のフローに入ると、まず、位置検出を行うかの判定を行う（Ｓ１０１）。このステップでは、ユーザーによって操作部３５によって位置検出の操作がなされたか否かを判定する。
【００４６】
ステップＳ１０１における判定の結果、位置検出であった場合には、現在位置の判定を行う（Ｓ１２１）。このステップでは、ＧＰＳ部３８によって位置検出を行う。なお、前述したようにＧＰＳを使用する以外にも、携帯電話の基地局情報によって位置検出を行うようにしてもよい。
【００４７】
続いて、ステップＳ１２１に取得した現在位置の情報に基づいて、データベース（ＤＢ）検索を行う（Ｓ１２２）。このステップでは、現在位置の近傍にあるホットスポットの位置を検索する。ホットスポットの位置は、携帯電話３０の通信網を利用してサーバー１１０にアクセスし、ここからこれらの情報を取得する。
【００４８】
ＤＢ検索が終わると、地図とそこで受けられるサービスの表示を行う（Ｓ１２３）。このステップでは、図２（ａ）に示すように、地図上に、検索されたホットスポット位置とユーザーの位置を表示部３１に表示する。また、そのホットスポットで、受けられるサービスも表示される。表示を行うと、ステップＳ１０２に進む。
【００４９】
ステップＳ１０１における判定の結果、位置検出でなかった場合には、ホットスポット（ＨＳ）の選択か否かの判定を行う（Ｓ１０２）。このステップでは、ステップＳ１２３において行った地図表示を見ながら、ユーザーが操作部３５を操作して、いずれかのホットスポットを選択したか否かの判定である。
【００５０】
ステップＳ１０２における判定の結果、ホットスポットの選択でなかった場合には、ステップＳ１１１にジャンプする。一方、判定の結果、いずれかのホットスポットを選択していた場合には、選択されたホットスポットを運営するサービス会社、またはこれと提携しているサーバー１１０と通信し、通信手続を行う（Ｓ１０３、Ｓ１０４）。これらのステップでは、携帯電話３０の通信網（回線）からネットを介してサーバー１１０と通信し、通信手続をとる。
【００５１】
通信手続をとると、次に、通信プロトコルの取得を行う（Ｓ１０５）。このステップでは、ステップＳ１０２で選択されたホットスポットと、カメラ１０が無線ＬＡＮを通じてアクセスするために必要な通信プロトコルを取得する。このプロトコルの取得は、後述するステップＳ１１５において、携帯電話特有の通話や、ネット検索や、メール機能によって、取得できるようにしてもよい。
【００５２】
ステップＳ１０５における通信プロトコルの取得が終わると、次に、カメラ通信を行うか否かの判定を行う（Ｓ１１１）。この判定の結果、カメラ通信でなかった場合には、メール、通話、ネットを行う（Ｓ１１５）。次に、メール等によってプロトコル情報が有るか否かの判定を行う（Ｓ１１６）。この判定の結果、通信プロトコル情報が有った場合には、通信プロトコルを取得し（Ｓ１１７）、取得後、またはステップＳ１１６においてプロトコル情報が無かった場合には、リターンし、ステップＳ１０１から再び実行する。
【００５３】
ステップＳ１１１における判定の結果、カメラ通信の場合には、通信プロトコルで指定された信号をカメラ１０に赤外通信で送信する。信号送信が終わると、リターンし、ステップＳ１０１から再び実行する。なお、リターン後、ステップＳ１１１においてカメラ通信が可能となった場合に、その時点で、ステップＳ１１７で取得した通信プロトコルが見送信であれば、この通信プロトコルをカメラ１０に送信する。
【００５４】
つまり、ユーザーは、カメラ１０で携帯電話３０との通信モードを選んでおき（図４（ａ）参照）、携帯電話３０を操作して、ホットスポットにアクセスするための通信プロトコル取得のための処理を行い（図４（ｂ）参照）、取得した通信情報をカメラに送信する（図４（ｃ）参照）。これによって、カメラ１０とホットスポットの間での無線通信が開始される。この時、図４（ａ）の際に、送信したい画像を選べば、この選択画像が送信される。
【００５５】
次に、ホットスポットとの通信で必要な情報について、図５を用いて説明する。なお、この図では、例として、カメラ店にあるホットスポットＡ１０１を選択し、これと通信する場合を示している。ユーザーは、カメラから大量の画像をプリントしたい場合には、ホットスポットＡ１０１に行き、そこでネット接続して、プリンタ１０３ａからのプリントを受け取る。例えば旅行帰りのように、大量の画像をプリントアウトする場合には、通信途中にカメラがエネルギーを消耗し、電源が消耗する可能性が高い。そこで、本実施形態においては、ホットスポットＡ１０１における電源１０３ｂから、例えば、電磁誘導式の充電を行い、カメラの電池のエネルギーを補充する。旅行帰りなどで、撮影だけで電池が消費されつくしているケースでは、このようなサービスを提供可能な店舗が好ましい。
【００５６】
プリントのみならず、画像を大量にサーバー保管する場合も、電波の利用具合や、設定に戸惑ったりすると、電池消耗によって、通信不能となることがあるので、このような充電サービスはユーザーにとってメリットがある。もちろん、この送信画像の中から、誰かに見せたい画像がある場合、それをプリントではなく送信するようにしてもよい。また、カメラの充電は電磁誘導式の充電器に限らなくともよい。
【００５７】
また、携帯電話３０は、サーバー１１０（図１参照）と通信を行い、ホットスポットＡ用のローカルＩＰアドレスを取得し、この情報（ＨＳ−Ａ）をカメラ１０に送信する。これによって、カメラ１０は通信プロトコルを取得し、ホットスポット１０１と、パケット１１１（図５（ｂ）参照）で、通信を開始する。なお、ローカルＩＰアドレスの取得にあたっては、携帯電話３０に無線ＬＡＮ機能を持たせるようにし、これによって取得してもよい。
【００５８】
パケット１１１は、ＴＣＰ／ＩＰ形式での通信規格に従っており、送信元と宛先のＩＰアドレスや全データ長からなるＩＰヘッダ部１１１ａと、送信元と宛先のポート情報およびデータのやりとりの決まりの情報からなるＴＣＰヘッダ部１１１ｂと、データ１１１ｃが、情報として含まれている。また、ホットスポットＡ１０１に接続後、どこのサーバーに送信するかの設定なども、この方法で、携帯電話３０で決定し、カメラ１０は、その情報に即しての送信を行う。
【００５９】
次に、図６に示すフローチャートを用いて、カメラ１０の動作について説明する。カメラ制御のフローに入ると、まず、カメラ１０が再生モードに設定されているか否かの判定を行う（Ｓ１）。このカメラ１０は、撮影モードや再生モードをユーザーによって設定可能である。ステップＳ１における判定の結果、再生モードが選択されていなかった場合には、撮影モードが設定されているか否かの判定を行う（Ｓ２）。
【００６０】
ステップＳ２における判定の結果、撮影モードが設定されていた場合には、撮像と表示を行う（Ｓ３）。すなわち、このステップでは、撮影部２によって取得する被写体像の画像データを逐次更新し、この画像データを用いて表示部（不図示）にライブビュー表示を行う。
【００６１】
続いて、レリーズスイッチが操作され、撮影者によって撮影指示がなされたか否かの判定を行う（Ｓ４）。判定の結果、撮影指示がなされていなかった場合には、ステップＳ１に戻る。一方、撮影指示がなされていた場合には、撮影および記録を行う（Ｓ５）。撮影動作は、撮影部２において、被写体像の静止画の画像データを取得し、この画像データを画像記録部３に記録する。撮影動作が終わると、リターンし、ステップＳ１から再び実行する。
【００６２】
ステップＳ２における判定の結果、撮影モードでなかった場合には、通信設定の取得を行う（Ｓ１１）。このステップでは、カメラ１０の操作部材の操作によって通信設定取得が指示されたか否かの判定を行う。ステップＳ１１における判定の結果、通信設定取得でなかった場合には、リターンし、ステップＳ１から再び実行する。
【００６３】
ステップＳ１１における判定の結果、通信設定取得であった場合には、設定信号の記録を行う（Ｓ１２）。このステップでは、前述したように、携帯電話３０によって取得した通信プロトコルを赤外通信部５を介して取得し、アクセス設定部６は、これに基づいて通信設定を行う。設定信号の記録を終えると、リターンし、ステップＳ１から再び実行する。
【００６４】
ステップＳ１における判定の結果、再生モードであった場合には、再生表示を行う（Ｓ２１）。このステップではカメラ１０の操作部材によって選択されている撮影画像を表示部（不図示）に表示する。なお、この表示部は、カメラ１０の背面等に配置されている液晶モニタ等の表示装置である。続いて、ネット送信するか否かの判定を行う（Ｓ２２）。このステップでは、カメラ１０の操作部材の操作状態に基づいて判定する。この判定の結果、ネット送信でなかった場合には、ステップＳ１に戻る。一方、判定の結果、ネット送信であった場合には、表示の切り替えを行う（Ｓ２２）。すなわち、このとき、ステップＳ１２で取得した通信プロトコル（または手続き）に対応したアクセスポイント（ホットスポット）がどれかが分かるので、そのアクセスポイントに従ってカメラ１０の表示切替を行う。
【００６５】
つまり、アクセスしたホットスポットが、プリンタを有しカメラに電源供給可能なカメラ店内に設置されている場合には、図９（ａ）に示すように多くの画像を一覧表示して、個別にプリント枚数を設定できるような表示とする。この表示を見て、ユーザーは、画像を十字キーやタッチパネルで選び、プリント枚数も選んで、比較的時間をかけてプリント可能としている。しかし、ホットスポットがコンビニ等で、プリンタはあっても、カメラ充電まで出来ない場所用の通信プロトコルでは、図９（ｂ）に示すように、所定の画像をプリントするかどうかだけの表示とする。プリント枚数の指定ぐらいは出来るようにしてもよいが、大量画像に関しては、選択や設定の間に電源が消耗してしまい、結局、何も送信できないような事態となるのを防止する。
【００６６】
また、ホットスポットが例えば喫茶店や駅など、プリント設備がない場合には、カメラ表示は、図９（ｃ）に示すように、所定のサーバーに記録するための画像転送を行うか行わないかの選択が出来るような画面表示となるようになっている。すなわち、所定の画像を送信するか否かのみを設定可能とし、大量の画像の画像を扱うこともなく、またプリントも行うことはない。本実施形態において、各ホットスポットの特徴と、それに相応しい画像の選択の仕方、プリントサービスが行われるか否かの関係を図８に示す。
【００６７】
ステップＳ２２における判定の結果、ネット送信でなかった場合には、ステップＳ１に戻る。一方、判定の結果、ネット送信であった場合には、前述のようなカメラでの画像表示を行い、ステップＳ２２ａにおいて表示切替を行うと、次に、送信画像の選択を行う（Ｓ２２ｂ）。これは、前述した図９（ａ）〜（ｃ）に示す表示画面での選択となる。続いて、選択された画像の数が所定数よりも多いか否かの判定を行う（Ｓ２２ｃ）。選択する数が多いと送信時間や消費エネルギーの問題を生じるので、このような問題が生ずる可能性がある場合には、選択数が多いと判定される。この判定の結果、多くなかった場合には、ステップＳ２３に進み、一方、判定の結果、多かった場合には、警告を行う（Ｓ２２ｄ）。
【００６８】
続いて、ステップＳ１２における設定に沿って送信プロトコルの作成を行う（Ｓ２３）。なお、送信プロトコルの作成にあたっては、カメラ機種信号も送信できるように作成する。送信プロトコルが作成されると、カメラ１０の電池が消耗しているか否かを判定する（Ｓ２４）。判定の結果、電池が消耗しておらず、問題がなければ、選択された画像をホットスポット経由でサーバー１１０に送信する（Ｓ２５）。この送信制御は、電源状態が送信するのに問題ないかどうかをモニタしながら、選択画像がすべて送信終了したり、ユーザーが中断したりするまで続けられる。続いて、選択画像の送信が終了か否かを判定する（Ｓ２６）。この判定の結果、終了でなければ、ステップＳ２４〜Ｓ２６を繰り返す。この間、電圧の低下など、電源に問題を生じた場合は、ステップＳ２４において、電源がＯＫではなくなるので、警告を行って、送信を中断する（Ｓ２７）。このように、本実施形態においては、通信中の電源変動を監視しているが、図５に示すように、ホットスポットにおける電源１０３ｂによって電力供給されている環境なら、問題なくスムーズに送信が行われる。
【００６９】
次に、図７に示すフローチャートを用いて、サーバー１１０の動作について説明する。
ここでは、図１の１１０として示したサーバーが、ホットスポット１０３の設置場所に設置されていて、プリンタ１０３ａや電源１０３ｂを制御することを想定して説明する。サーバー制御のフローに入ると、まず、カメラ１０から画像取得を行ったか否かの判定を行う（Ｓ５１）。すなわち、カメラ１０から撮影画像の送信がなされてきているかの判定である。
【００７０】
ステップＳ５１における判定の結果、画像取得であった場合には、接続してきたカメラ１０が所定のホットスポット（ＨＳ）からかを判定する（Ｓ５１ａ）。この判定の結果、所定のＨＳ（ここではホットスポットＡ１０３）であれば、そこに設置してある電源から、カメラにエネルギーを供給しながら画像取得を始める（Ｓ５１ｂ）。一方、判定の結果、所定のＨＳからの画像送信でない場合は、電源供給等の処理は行わない。
【００７１】
次に、送信されてきた撮影画像にサーバー１１０内の展示場における展示場所の指定がなされているか否かの判定を行う（Ｓ５２）。このステップでは、撮影画像に展示場所の指示が有る場合には、ステップＳ２３（図６）において送信プロトコル作成時にデータが添付されているので、このデータに基づいて判定する。単にプリントの場合には、プリンタにデータを送るための仮記憶となる場所を指定する。
【００７２】
ステップＳ５２における判定の結果、指定場所が有った場合には、その指定された展示場所に配置し（Ｓ５４）、指定されていなかった場合には、空いている展示場所に配置する（Ｓ５３）。撮影画像の配置を決めると、続いて、画像の記録を行う（Ｓ５５）。このステップでは、送信されてきた撮影画像と展示場所を関連付けし、画像保存部に保存する。
【００７３】
画像の記録が終わったら、電源供給を行っていたか否かの判定を行う（Ｓ５６）。すなわち、ステップＳ５１ｂにおいて電源供給を開始していたか否かの判定である。この判定の結果、電源供給を行っていた場合には、電源供給を終了する（Ｓ５７）。電源供給を終了すると、または、ステップＳ５６における判定の結果、電源供給していなかった場合には、リターンし、ステップＳ５１から実行する。なお、画像の展示場所については、その結果を携帯電話３０に指示してもよい。
【００７４】
ステップＳ５１における判定の結果、画像取得でなかった場合には、次に、携帯電話３０からのアクセスか否かの判定を行う（Ｓ６０）。このステップは、前述したようにステップＳ１０３において、携帯電話３０からサーバー１１０にアクセスしてくるので、このアクセスがなされているか否かの判定である。
【００７５】
ステップＳ６０における判定の結果、携帯アクセスでなかった場合には、その他の送信処理を行う（Ｓ８１）。このステップでは、例えば、サーバー１１０がカメラ店にある場合などは、ユーザーにキャンペーンなどの案内メールを送るなどの処理を行う。これは、プリント割引サービスのようなものを行えば、カメラ店にユーザーが来店し商品販売の機会が増える。このメールなどに、ホットスポットとカメラが通信するためのプロトコルなどの手続き情報を添付するようにしてもよい。ステップＳ８１における処理を行うとステップＳ５１に戻る。
【００７６】
ステップＳ６０における判定の結果、携帯アクセスであった場合、携帯電話３０から画像表示の要求か否かの判定を行う（Ｓ６１）。この判定の結果、画像表示の要求でなかった場合には、ホットスポット接続のための情報取得であることから、位置情報が送信されてきたか否かの判定を行う（Ｓ７１）。このステップは、携帯電話３０のＧＰＳ部３８によって検出された位置情報が送信されてきたか否かの判定である。この判定の結果、位置情報が送信されてきていない場合には、ステップＳ５１に戻る。
【００７７】
ステップＳ７１における判定の結果、位置情報が送信されてきた場合には、データベース（ＤＢ）検索および検索結果の送信を行う（Ｓ７２）。すなわち、このステップでは、携帯電話３０の付近にあるホットスポット等の情報や、その付近の地図データを、データベースから検索し、この検索結果を携帯電話３０に送信する。携帯電話３０は、これらの情報を受信すると、図２（ａ）に示すように、表示部３１に表示する。
【００７８】
続いて、ホットスポット（ＨＳ）が選択されているか否かの判定を行う（Ｓ７３）。このステップでは、例えば、ユーザーが図２（ａ）に示される複数のホットスポットの中から（一つしかない場合には、そのホットスポット）、ホットスポットを選択し、この情報が送信されてきているか否かを判定する（図３のＳ１０２〜Ｓ１０４参照）。ステップＳ７３の判定の結果、ホットスポットの選択がなかった場合には、ステップＳ５１に戻る。
【００７９】
ステップＳ７３における判定の結果、ホットスポットが選択されていた場合には、設定方法を送信する（Ｓ７４）。このステップでは、設定の手続は画像の記録場所などの設定を行い、その通信のために必要となる通信プロトコル（通信設定方式）等を携帯電話３０に送信する。また、どのホットスポット（ＨＳ）で、どんなサービスが受けられるかといった、サービスの内容を示す情報も送信する。この情報に応じて、カメラは、図９（ａ）〜（ｃ）に示すように、送信設定時の画面を切り替えるようにしてもよい。もちろん、この画面切替は、カメラ１０との通信開始時の通信に応答して、表示を切り替えるようにしてもよい。携帯電話３０は通信設定方式等を受信すると、図２（ｂ）に示すように、表示部３１に表示を行う。設定方法の送信を終えると、ステップＳ５１に戻る。
【００８０】
ステップＳ６１において、画像表示の要求であった場合には、そのアクセスされた画像を送信する（Ｓ６２）。サーバー１１０には、アクセスのあったユーザー以外の画像が展示されており、これらの画像を閲覧することができる。このステップでは、これらの展示画像の中から閲覧希望の画像の画像データを携帯電話３０に送信する。
【００８１】
続いて、アクセスされた画像について、プリントするか否かの判定を行う（Ｓ６３）。このステップでは、ユーザーがプリントアウトを希望する場合には、携帯電話３０の操作部３５でその旨を操作し、送信してくるので、これを判定する。このステップＳ６３の判定の結果、プリントアウトを希望していた場合には、プリントサービスを行う（Ｓ６５）。プリントサービスは、プリントアウトしたものを郵送またはユーザーが店舗にて受け取るサービスである。
【００８２】
ステップＳ６３における判定の結果、プリントアウトでなかった場合には、次に、送信か否かの判定を行う（Ｓ６４）。判定の結果、送信であった場合には、画像送信を行う（Ｓ６６）。また、判定の結果送信でなかった場合には、その他の画像処理等を行う（Ｓ６７）。本実施形態において、サーバー１１０が行う画像サービスで携帯電話３０から受けられる様々のサービスを例示したが、これ以外に、画像にＢＧＭをつけるサービスや、画像合成のサービス等を追加してもよい。
【００８３】
ステップＳ６５、Ｓ６６、Ｓ６７における処理が終わると、次に、終了か否かの判定を行う（Ｓ６８）。このステップでは、携帯電話３０から終了の指示が送信されているか否かを判定する。この判定の結果、終了でなかった場合には、ステップＳ６３に戻り、前述の処理を実行する。一方、判定の結果、終了であった場合には、リターンし、ステップＳ５１から再び実行する。
【００８４】
以上、説明したように本発明の実施形態に係わる通信システムによれば、携帯電話等の移動通信装置によってホットスポット等の外部端末機器と接続するための通信プロトコルを取得し、この通信プロトコルを用いて外部端末機器と通信を行うことができる。このため、簡単にどこでも無線通信で様々な写真サービスを行うにあたってカメラの負担を軽減することができる。また、好きな場所から好きな場所に、簡単に撮影画像の送信を行うことができる。
【００８５】
また、本実施形態に係わる通信システムよれば、携帯電話等の移動通信装置に位置情報を検出する位置検出部を設け、この位置検出部によって検出された位置情報に基づいて、ホットスポット等の外部端末機器の位置を検索するようにしている。このため、ユーザーは外部端末機器に関する情報を取得するにあたって、特別な情報を入力する必要がない。前述の特許文献１においては、その場所の電話番号、市外局番、住所、または郵便番号等を入手する必要があり、簡便な装置となっていなかった。
【００８６】
さらに、本実施形態によれば、通信プロトコルはサーバー１１０から取得しているので、最新のデータを取得することができる。すなわち、携帯電話３０に記憶している場合に比較し、サーバー１１０はセンター機能を果たすことから日々更新されるためである。
【００８７】
さらに、本実施形態によれば、カメラ１０等の情報機器の表示部は、外部端末機に接続された機器情報に応じて、カメラの操作方法を変更するために表示が変更される。例えば、本実施形態に示すように、プリンタや電源供給源の有無に応じて、図９に示すような種々の表示に切り換えている。このため、本実施形態においては、ホットスポット等にアクセスした場合に、そこでのサービスを有効に活用することができる。
【００８８】
なお、本実施形態においては、ホットスポット等の外部端末機器の情報を取得するにあたって、携帯電話３０を用いていたが、これに限らず、どこでも通信網を通じて情報を取得できるような移動通信装置、例えば、モバイル情報機器を利用しても良い。
【００８９】
また、本実施形態においては、情報機器としてカメラに適用した例を説明したが、カメラ以外の無線ＬＡＮを搭載した情報機器にも本発明を適用できる。また、携帯電話３０等の移動端末装置とカメラ等の情報機器の間は、赤外線通信で情報のやり取りを行っていたが、ブルートゥースのような近距離用無線通信等を利用するようにしても良い。
【００９０】
さらに、本実施形態においては、図２（ｂ）に示す接続先のＩＤ、パスワードを、最初のみサーバー１１０に接続し、これらを取得し、携帯電話３０に記憶していたが、これに限らず、例えば、毎回、サーバー１１０より取得するようにしてもよい。また、カメラ１０内に記憶し、接続先の情報に応じてアクセス設定部６で読み出して設定するようにしても良い。さらに、別の方法として、ＩＤとパスワードは、接続する際に、カメラ１０または携帯電話３０に手動で入力するようにしても良い。
【００９１】
さらに、本実施形態においては、撮影のための機器として、デジタルカメラを用いて説明したが、カメラとしては、デジタル一眼レフカメラでもコンパクトデジタルカメラでもよく、また、携帯電話や携帯情報端末（ＰＤＡ：Personal Digital Assist）等に内蔵されるカメラでも勿論構わない。
【００９２】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【図面の簡単な説明】
【００９３】
【図１】本発明の一実施形態に係わるカメラ、サーバー、および携帯電話からなる通信システムの構成を示すブロック図である。
【図２】本発明の一実施形態に係わる携帯電話における表示状態を示す図であって、（ａ）はホットスポットの位置を地図上に示す図であり、（ｂ）はホットスポットを選択した場合の表示部の状態を示す図である。
【図３】本発明の一実施形態に係わる携帯電話の携帯制御の動作を示すフローチャートである。
【図４】本発明の一実施形態において、携帯電話でホットスポットに関連する情報を取得し、カメラに送信する様子を示す図であり、（ａ）はカメラで携帯電話との通信モードを選択する様子であり、（ｂ）は携帯電話を操作してホットスポットにアクセスするための処理を行っている様子であり、（ｃ）は取得した情報をカメラに送信する様子を示す図である。
【図５】本発明の一実施形態において、カメラ、携帯電話、ホットスポットの間の関係を示す図であり、（ａ）はカメラ、携帯電話、ホットスポット間の情報の流れを示す図であり、（ｂ）はカメラからホットスポットに送られる情報の構造を示す図である。
【図６】本発明の一実施形態に係わるカメラのカメラ制御の動作を示すフローチャートである。
【図７】本発明の一実施形態に係わるサーバーのサーバー制御の動作を示すフローチャートである。
【図８】本発明の一実施形態において、各ホットスポットの特徴と、それに相応しい画像の選択の仕方、プリントサービスが行われるか否かの関係を示す図である。
【図９】本発明の一実施形態において、アクセスポイントに従って切り換えるカメラの表示を示し、（ａ）はホットスポットＡにアクセスした場合の表示であり、（ｂ）はホットスポットＢにアクセスした場合の表示であり、（ｃ）はホットスポットＣにアクセスした場合の表示を示す。
【符号の説明】
【００９４】
１・・・制御部、２・・・撮影部、３・・・画像記録部、４・・・画像選択部、５・・・赤外通信部、６・・・アクセス設定部、７・・・ワイヤレスＬＡＮ部、８・・・電源充電部、１０・・・カメラ、３０・・・携帯電話、３１・・・表示部、３２・・・赤外通信部、３３・・・画像記録部、３４・・・表示制御部、３５・・・操作部、３６・・・アクセス取得部、３７・・・通信及び制御部、３８・・・ＧＰＳ部、１００・・・インターネット、１１０・・・サーバー、１０１・・・ホットスポットＡ、１０２・・・ホットスポットＢ、１０２ａ・・・プリンタ、１０３・・・ホットスポットＣ、１０３ａ・・・プリンタ、１０３ｂ・・・電源、１１１・・・パケット、１１１ａ・・・ＩＰヘッダ部、１１１ｂ・・・ＴＣＰヘッダ部、１１１ｃ・・・データ
【図１】
2009296289.tif 000003
【図２】
2009296289.tif 000004
【図３】
2009296289.tif 000005
【図４】
2009296289.tif 000006
【図５】
2009296289.tif 000007
【図６】
2009296289.tif 000008
【図７】
2009296289.tif 000009
【図８】
2009296289.tif 000010
【図９】
2009296289.tif 000011